(57)【要約】【課題】  前方側が下方に開放される可動収納体であっても、水平状態を維持しなければならない物品が収納できる吊り戸棚の収納構造を提供すること。【解決手段】  吊り戸棚１下部に開閉自在の可動収納体５を設けた吊り戸棚１の収納構造であって、可動収納体５は、内側収納箱３と、該内側収納箱３を外包する外側収納箱４から成り、該外側収納箱４はその前方側が下方に揺動開放され、内側収納箱３は外側収納箱４の揺動開放に伴って上方から前面下方に水平状態を維持して降下する。【選択図】  図１
2006239463.tif 000002
【特許請求の範囲】
【請求項１】
吊り戸棚下部に開閉自在の可動収納体を設けた吊り戸棚の収納構造であって、前記可動収納体は内側収納箱と、該内側収納箱を外包する外側収納箱から成り、該外側収納箱はその前方側が下方に揺動開放され、内側収納箱は外側収納箱の揺動開放に伴って上方から前面下方に水平状態を維持して降下することを特徴とする吊り戸棚の収納構造。
【請求項２】
前記可動収納体の開放と閉鎖保持は外側収納箱の前方側に設けた操作体により作動する請求項１に記載の吊り戸棚の収納構造。
【請求項３】
前記外側収納箱の物品収納部にはその幅方向に仕切る仕切板が設けられている請求項１または２に記載の吊り戸棚の収納構造。
【請求項４】
前記外側収納箱は、後方側に、可動収納体の閉鎖状態で内側収納箱を収容する後方収容部と前方側に物品を収納する前方物品収納部とに区画されている請求項１〜３のいずれかに記載の吊り戸棚の収納構造。
【請求項５】
前記後方収容部は前方物品収納部に比べ下方に突出している請求項４に記載の吊り戸棚の収納構造。
【請求項６】
前記外側収納箱は、可動収納体の閉鎖状態で、その上面が吊り戸棚の底板と当接している請求項１〜５のいずれかに記載の吊り戸棚の収納構造。
【請求項７】
前記外側収納箱の前方物品収納部の前面は吊り戸棚の前面板により隠蔽されている請求項４〜６のいずれかに記載の吊り戸棚の収納構造。
【発明の詳細な説明】
【技術分野】
【０００１】
本発明は、吊り戸棚下部に開閉自在の可動収納体を設けた吊り戸棚の収納構造に関する。
【背景技術】
【０００２】
吊り戸棚の下部空間を物品の収納部として利用する吊り戸棚の収納構造として、開閉自在の可動収納体を吊り戸棚下部に設けたものが知られている（特許文献１参照）。この可動収納体の開閉は、後方部を揺動支点として前方側が下方に開放されるようにように構成されているので、利用者は大きく開口された前面より収納物を容易に取り出すことができる利点があり、また、可動収納体が吊り戸棚の下部に設けられているため、利用頻度の高い物品を可動収納体に収めておけば、比較的高い位置にある吊り戸棚本体より出し入れする煩わしさがなくなり利便性に富んでいた。
【０００３】
【特許文献１】登録実用新案第３０３４２３３号公報（段落００１０〜００１４，図１）
【発明の開示】
【発明が解決しようとする課題】
【０００４】
しかしながら、従来のこのような吊り戸棚の収納構造は、可動収納体が揺動開放するので、蓋のない調味料収納容器や、醤油ビンの如き蓋があっても注ぎ口が常時開口している容器等の、傾斜状態で保持することが相応しくない物はこの可動収納体に収納しておくことができなかった。
【０００５】
本発明は、このような事情に鑑みてなされたもので、前方側が下方に開放される可動収納体であっても、水平状態を維持しなければならない物品が収納できる吊り戸棚の収納構造を提供することを目的とする。
【課題を解決するための手段】
【０００６】
上記の目的を解決するために、本発明の請求項１に記載の吊り戸棚の収納構造は、吊り戸棚下部に開閉自在の可動収納体を設けた吊り戸棚の収納構造であって、前記可動収納体は内側収納箱と、該内側収納箱を外包する外側収納箱から成り、該外側収納箱はその前方側が下方に揺動開放され、内側収納箱は外側収納箱の揺動開放に伴って上方から前面下方に水平状態を維持して降下することを特徴としている。
この特徴によれば、内側収納箱が水平状態を維持して降下するので水平状態を維持しなければならない物品が収納でき、しかも降下に応じて前方にせり出すので、開放位置での物品の取り出しが容易である。
【０００７】
本発明の請求項２に記載の吊り戸棚の収納構造は、請求項１に記載の吊り戸棚の収納構造であって、前記可動収納体の開放と閉鎖保持は外側収納箱の前方側に設けた操作体により作動することを特徴としている。
この特徴によれば、操作体が外側収納箱の前方側に設けられていれば、比較的高い位置に吊り戸棚があったとしても利用者は楽に操作できる。
【０００８】
本発明の請求項３に記載の吊り戸棚の収納構造は、請求項１または２に記載の吊り戸棚の収納構造であって、前記外側収納箱の物品収納部にはその幅方向に仕切る仕切板が設けられていることを特徴としている。
この特徴によれば、外側収納箱は開放時に傾斜状態に維持されるので、仕切板により収納物の転がりや他物品との衝突を防ぐことができる。
【０００９】
本発明の請求項４に記載の吊り戸棚の収納構造は、請求項１〜３の何れかに記載の吊り戸棚の収納構造であって、前記外側収納箱は、後方側に、可動収納体の閉鎖状態で内側収納箱を収容する後方収容部と前方側に物品を収納する前方物品収納部とに区画されていることを特徴としている。
この特徴によれば、物品収納部を前方側にしておけば、物品の取り出しを内側収納箱によって邪魔されることがなく、また内側収納箱は後方から前方にせり出るので、内側収納箱の物品も取り出しやすい。
【００１０】
本発明の請求項５に記載の吊り戸棚の収納構造は、請求項４に記載の吊り戸棚の収納構造であって、前記後方収容部は前方物品収納部に比べ下方に突出していることを特徴としている。
この特徴によれば、内側収納箱の収納容積を大きくしても外側収納箱に収納することができ、かつ、吊り戸棚の下部前方空間を後部に比べ大きく設けることができるので、例えば利用者が頭部等をぶつける恐れも少なく、利用者に対する圧迫感の軽減が図れる。
【００１１】
本発明の請求項６に記載の吊り戸棚の収納構造は、請求項１〜５のいずれかに記載の吊り戸棚の収納構造であって、前記外側収納箱は、可動収納体の閉鎖状態で、その上面が吊り戸棚の底板と当接していることを特徴としている。
この特徴によれば、外側収納箱の上面を吊り戸棚の底板と当接することで極力可動収納体を高い位置に保持して下方空間を確保するとともに、閉鎖時のゴミ等の侵入を防げる。
【００１２】
本発明の請求項７に記載の吊り戸棚の収納構造は、請求項４〜６のいずれかに記載の吊り戸棚の収納構造であって、前記外側収納箱の前方物品収納部の前面は吊り戸棚の前面板により隠蔽されていることを特徴としている。
この特徴によれば、可動収納体の閉鎖状態では外側収納箱の前方側が利用者側から確認し難いので、可動収納体の存在を隠すことができ、吊り戸棚の全体から受ける美感の向上が図れる。
【発明を実施するための最良の形態】
【００１３】
本発明の実施例を以下に説明する。
【実施例】
【００１４】
先ず図1には、本発明に関わる吊り戸棚の収納構造の実施例が示されており、この収納構造は、例えば台所のキッチンカウンタＫの上方の壁面または天井面等に設置される吊り戸棚１の底板２の下面２ａに設けられるものであり、該下面２ａには開閉自在な可動収納体５が設けられている。
【００１５】
この可動収納体５は、内側収納ケース３（内側収納箱）と、該内側収納ケース３を外包する外側収納ケース４（外側収納箱）とからなり、該外側収納ケース４は、図２に示される閉状態から、その前方側（図１中手前（利用者）側）が下方に揺動開放され、内側収納ケース３は外側収納ケース４の揺動開放に伴って上方から前面下方に水平状態を維持して降下するようになっている（図３参照）。なお、これら内側収納ケース３及び外側収納ケース４を開閉させるためのリンク機構に関しては後述することとする。
【００１６】
内側収納ケース３は、前面及び上面が開口する載置収納部６を有しており、この載置収納部６における載置面６ａは水平面とされ、該載置面６ａ（図３参照）上には、主に転倒すると中身がこぼれる虞がある調味料（例えば砂糖、塩、醤油、油、酢）等の物品が収納される。
【００１７】
外側収納ケース４は、図１及び図３に示されるように、開状態において前面斜め上方に開口する前収納部７（前方物品収納部）が前方側に設けられているとともに、閉状態において内側収納ケース３を外側から収容する後収容部８（後方収容部）が後方側に設けられている。前収納部７には、主に転倒しても中身がこぼれる虞がない調味料（胡椒等）や調理用具（調理用ラップ材）等の物品が収納される。
【００１８】
前収納部７には、その左右幅方向に仕切る仕切板１９が適所に設けられており、開放時において傾斜状態に維持されても、該前収納部７に収納された調味料や調理用具等の物品が転倒したり、他の物品と衝突すること等が防止されるようになっている。
【００１９】
前収納部７における左右幅方向略中央位置には、図１及び図３に示されるように、可動収納体５を開閉する際に操作する操作体９を収容する操作体収容カバー１０が設けられている。該操作体収容カバー１０における外側収納ケース４の外面側は開口されており、利用者は外側収納ケース４の外面に形成された開口に臨むように設けられた操作体９を操作することで、可動収納体５を開閉させることができるようになっている。
【００２０】
詳しくは、図３に示されるように、該操作体９は操作体収容カバー１０内に水平軸９ａを中心に回動自在に設けられており、該操作体９の上端は、先端に係止爪１２ａが形成された移動体１２に連係されており、操作体９を回動操作することで移動体１２が前後方向に移動し、底板２の下面２ａから下方に向けて垂設された係止片１１の下端に形成された後向きの係止部１１ａに係止爪１２ａが係脱されるようになっている。なお、移動体１２はバネ１３により常時前方に向けて付勢されている。
【００２１】
よって、外側収納ケース４の閉状態においては、操作体９に連係された係止爪１２ａが係止部１１ａに係止されて外側収納ケース４が閉状態に保持されるようになっている。また、操作体９の後端を下方に引下げることで、係止爪１２ａと係止部１１ａとの係合が解除されて外側収納ケース４を開放させることができるようになっている。
【００２２】
このように操作体９は、図２及び図３に示されるように、外側収納ケース４の前方側外面であって、可動収納体５の閉状態において外側収納ケース４の下面側に臨むように設けられているため、比較的高い位置に吊り戸棚１があったとしても利用者は楽に操作できる。
【００２３】
また、外側収納ケース４は、後収容部８が前収納部７に比べて下方に膨出するように形成されているため、例えば前述したように転倒すると中身がこぼれる虞がある調味料等の物品を内側収納ケース３の載置収納部６に立設した状態で収納できるように、内側収納ケース３の収納容積を大きくしても、外側収納ケース４に収容することができ、かつ、吊り戸棚１の下部前方空間を後部に比べ大きく設けることができるので、例えば利用者が頭部等をぶつける恐れも少なく、利用者に対する圧迫感の軽減が図れる。
【００２４】
そして、外側収納ケース４は、上記のように可動収納体５の閉状態で内側収納ケース３を収容する後収容部８と、物品を収納する前収納部７とに前後方向に区画されていることで、前収納部７に収納された物品の取り出しを内側収納ケース３によって邪魔されることがない。なお、後述するように内側収納ケース３は外側収納ケース４の開放に伴って後方から前方にせり出るので、内側収納ケース３の物品も取り出しやすい。
【００２５】
更に、外側収納ケース４は、図２及び図３に示されるように、可動収納体５の閉状態で、その上面が吊り戸棚１の底板２の下面２ａと当接するように設けられているため、可動収納体５を極力高い位置に保持して、該外側収納ケース４の下方空間を確保することができるとともに、閉状態時におけるゴミ等の侵入が効果的に防止される。
【００２６】
また、外側収納ケース４の前面４ａは、閉状態において吊り戸棚１の前面扉１ａ（前面板）により隠蔽されるようになっているため、閉状態では外側収納ケース４の前方側が利用者側から確認し難いので、可動収納体５の存在を隠すことができ、吊り戸棚１の全体から受ける美感の向上が図れる。しかし外側収納ケース４の前面４ａを前面扉１ａで隠蔽することなく下方に突設した露出状態で吊り戸棚１の下面２ａ側に設けても良い。
【００２７】
次に、以上説明してきた可動収納体５のリンク機構２０の構造及び作用を、図４〜図７に基づいて説明する。なお、図４〜図６においては、内側収納ケース３は実線で示し、外側収納ケース４は２点鎖線で示すこととする。
【００２８】
内側収納ケース３及び外側収納ケース４の開閉時の移動は、該両ケース３、４に連係するリンク機構２０により行われるようになっている。詳しくは、吊り戸棚１の底板２の下面２ａにおける左右方向端部には、取付具としての左右一対のベース部材２１が固設されており、該左右のベース部材２１それぞれに左右一対のリンク機構２０の一端が取付けられ、該リンク機構２０の他端に内側収納ケース３及び外側収納ケース４が取付けられている。
【００２９】
具体的には、リンク機構２０は、一端がベース部材２１に設けた支持ピンａ，ｂ，ｃに回動自在に軸支される第１アーム２２、第２アーム２３及び第３アーム２４から構成されており、第１アーム２２の他端は内側収納ケース３及び外側収納ケース４の左右側板の後端上部に支持ピンｄにより軸支され、第２アーム２３の他端は内側収納ケース３に支持ピンｅにより軸支され、第３アーム２４の他端は外側収納ケース４に支持ピンｆにより軸支されている。
【００３０】
これらアームのうち、第１アーム２２及び第２アーム２３は、支持ピンａ，ｂ、ｄ、ｅの平行四辺形配列による平行四節リンク機構を構成し、内側収納ケース３を水平を保持した状態で上下方向に前後しながら移動させることができる。一方、第１アーム２２及び第３アーム２４は支持ピンａ，ｃ、ｄ、ｆの非平行四辺形配列による非平行四節リンク機構を構成し、外側収納ケース４を後方側を中心として前方側が上下方向に揺動できる。
【００３１】
また、左右それぞれの第１アーム２２の一端は、内側収納ケース３及び外側収納ケース４の左右側板間に渡って架設される連結材２５の左右端部に連結されているため、左右の第１アーム２２が同調するようになっている。
【００３２】
第２アーム２３とベース部材２１とを軸支する支持ピンｂには、図７に示されるように、ベース部材２１内に設けられたダンパー機構としてのロータリーダンパー２７が設けられ、このロータリーダンパー２７は、第２アーム２３が図中時計回りに回転する際、すなわち、可動収納体５を開放する際においては開放移動に対してダンピング力を付与し、急速に開放することがないようになっている。また、第２アーム２３が図中反時計回りに回転する際、すなわち、可動収納体５を閉塞する際においては閉塞移動に対してダンピング力を付与しないようになっている。よって、可動収納体５をスムーズに上昇させて閉塞できる。
【００３３】
また、第２アーム２３における支持ピンｂの近傍には、ベース部材２１の側面に形成された長孔２８における円弧状部２８ａ内を摺動自在に挿通される回動規制ピン２９が突設されている。該円弧状部２８ａは、第２アーム２３における支持ピンｂを中心とした円弧とされており、回動規制ピン２９の移動が円弧状部２８ａの上端部にて当接規制される位置が可動収納体５の閉状態、該回動規制ピン２９が円弧状部２８ａの下端部にて当接規制される位置が可動収納体５の最大開状態となっている。
【００３４】
さらに、第２アーム２３における支持ピンｂの近傍には、長孔２８における直線状部２８ｂ内を摺動自在に挿通されるピン部材３１が挿通される横長の許容孔３０が形成されている。直線状部２８ｂは、回動規制ピン２９が進入しないように円弧状部２８ａよりも幅狭に形成されており、円弧状部２８ａの上端から左斜め上方に向けて連設されている。すなわち、支持ピンｂから直線状部２８ｂの上端までの距離Ｌ２は、支持ピンｂから円弧状部２８ａまでの距離Ｌ１よりも大となるように形成され、円弧状部２８ａ上端の直線状部２８ｂとの接続部に段差部が設けられている。
【００３５】
ピン部材３１は、一端がベース部材２１の後部に装着した付勢部材３２の他端側に固設されている。付勢部材３２は、第１ケース３２ａと、この第１ケース３２ａ内に摺動自在に嵌挿された第２ケース３２ｂと、からなり、これら第１、第２ケース間にはコイルバネ３３が収容されており、付勢部材３２を常時伸張させる方向への付勢力がコイルバネ３３により与えられている。
【００３６】
具体的には、図７（ａ）に示されるように、第２アーム２３が水平状態にあるとき、すなわち、可動収納体５が閉状態であるときはコイルバネ３３が伸張された状態となり、図７（ｂ）に示されるように第２アーム２３が上下方向に向いた状態にあるとき、すなわち、可動収納体５が開状態であるときはコイルバネ３３は収縮された状態となる。
【００３７】
すなわち、可動収納体５が図７（ａ）に示される閉状態から図７（ｂ）に示される開状態となるまでの開放行程にあるときには、前述したロータリーダンパー２７によるダンピング力に加えて、コイルバネ３３により第２アーム２３の時計回りの回転に抵抗が与えられるため、急激な開放による収納物品の移動や飛び出しが防止されるようになっている。また、反対に、可動収納体５が図７（ｂ）に示される開状態から図７（ａ）に示される閉状態となるまでの閉鎖行程にあるときには、コイルバネ３３により第２アーム２３の反時計回りの回転を助勢する助勢力が与えられるため、可動収納体５が比較的重い物であっても軽く操作できるようになっている。
【００３８】
次に、以上説明したように構成された可動収納体５の作用を図面に基づいて説明すると、まず、図３及び図４に示されるように、可動収納体５の閉状態においては、外側収納ケース４の後収容部８は前収納部７に比べ下方に突出しているため、内側収納ケース３の収納容積を大きくしても外側収納ケース４に収納することができ、かつ、吊り戸棚１の下部前方空間を後部に比べ大きく設けることができるので、例えば利用者が頭部等をぶつける恐れも少なく、利用者に対する圧迫感の軽減が図れる。なお、可動収納体５の重量を軽減するためにこの後収容部８の底面は開口されており内側収納ケース３の底部側は直接外部に露出しているが、場合により、後収容部８の底面を塞いでも構わない。
【００３９】
また、本実施例においては、外側収納ケース４の前収納部７の前面は吊り戸棚１の前面扉１ａにより隠蔽されるため、可動収納体５の閉鎖状態では外側収納ケース４の前方側が利用者側から確認し難いので、可動収納体５の存在を隠すことができ、吊り戸棚１の全体から受ける美感の向上が図れる。
【００４０】
この状態から、外側収納ケース４の前方側下面に設けられた操作体９の後端を下方に引下るようにして係止爪１２ａと係止部１１ａとの係合を解除し、操作体９を把持したまま外側収納ケース４の前部を下方に引下げていくと、図５に示されるように、外側収納ケース４は後方側を中心として前方側が下方向に揺動するとともに、内側収納ケース３は、第１アーム２２及び第２アーム２３による平行リンク機構によって、水平状態を維持して降下していく。
【００４１】
さらに操作体９を下方に引下げると、外側収納ケース４は、後方側を中心として前方側が下方向に揺動するとともに（図３中矢印Ｘ参照）、内側収納ケース３は、第１アーム２２及び第２アーム２３による平行リンク機構によって水平状態を維持して降下するとともに、第１アーム２２及び第２アーム２３の回動により前方にせり出すように移動していく（図３中矢印Ｙ参照）。なお、このような開放行程においては、ロータリーダンパー２７及びコイルバネ３３による付勢力により、開放移動時に抗力がかかるので、急激な開放による収納物品の移動や飛び出しが防止される。
【００４２】
そして、図６に示されるように、第２アーム２３の回動規制ピン２９が円弧状部２８ａの下端に当接規制される最大開状態（図７（ｂ）参照）では、外側収納ケース４が前下がり傾斜状態で保持され、前収納部７が吊り戸棚１の下方位置に位置するため、前収納部７に収納された物品を容易に取り出すことができるとともに、内側収納ケース３の載置収納部６も、その収容位置よりも下方で、かつ、前方側に位置するため、載置収納部６に収納された物品を容易に取り出すことができる。
【００４３】
また、内側収納ケース３及び外側収納ケース４の開放時の移動は、両ケース３、４間に連繋するリンク機構２０により行われるため、内側収納ケース３及び外側収納ケース４の開放時の独自の移動も、リンク機構２０を用いれば、コンパクトな機構に構築できる。
【００４４】
また、このリンク機構２０は、図１に示されるように、可動収納体５内の左右に一対配置され、吊り戸棚１の底板２の下面２ａに設けた左右のベース部材２１にそれぞれ支持されているため、バランスのとれた、円滑な可動収納体５の開閉が実現でき、またリンク機構２０自体、可動収納体５の内部にあるので、図２に示される閉状態において外部に露呈することがなく、見栄えがよい。
【００４５】
また、可動収納体５が開放行程にあるときはリンク機構２０の作動に抵抗力を付与し、閉鎖行程にあるときは助勢力を付与する手段として、付勢部材３２のコイルバネ３３の伸縮運動を利用することで、大掛かりな機構を必要とせず、吊り戸棚１の収納構造の簡素化が図れる。
【００４６】
以上、本発明の実施例を図面により説明してきたが、具体的な構成はこれら実施例に限られるものではなく、本発明の要旨を逸脱しない範囲における変更や追加があっても本発明に含まれる。
【００４７】
例えば、上記実施例では、可動収納体５の開閉移動が内側収納ケース３及び外側収納ケース４間に連繋するリンク機構２０により行われるようになっていたが、内側収納ケース３は外側収納ケース４の揺動開放に伴って上方から前面下方に水平状態を維持して降下するようになっていれば、内側収納ケース３及び外側収納ケース４がそれぞれ別々の移動機構により開閉移動するようにしてもよい。
【図面の簡単な説明】
【００４８】
【図１】本発明の実施例としての吊り戸棚の収納構造を示す斜視図である。
【図２】可動収納体が閉状態にある状態を示す斜視図である。
【図３】同じく可動収納体が閉状態にある状態を示す一部破断側面図である。
【図４】可動収納体の作用を示す概念図である。
【図５】同じく可動収納体の作用を示す概念図である。
【図６】同じく可動収納体の作用を示す概念図である。
【図７】（ａ）は可動収納体が閉状態のときのベース部材の内部を示す図であり、（ｂ）は可動収納体が開状態のときのベース部材の内部を示す図である。
【符号の説明】
【００４９】
１      吊り戸棚
１ａ    前面扉
２      底板
２ａ    下面
３      内側収納ケース（内側収納箱）
４      外側収納ケース（外側収納箱）
４ａ    前面
５      可動収納体
６      載置収納部
６ａ    載置面
７      前収納部（前方収納部）
８      後収容部（後方収容部）
９      操作体
９ａ    水平軸
１０    操作体収容カバー
１１    係止片
１１ａ  係止部
１２    移動体
１２ａ  係止爪
１３    バネ
１９    仕切板
２０    リンク機構
２１    ベース部材
２２    第１アーム
２３    第２アーム
２４    第３アーム
２５    連結材
２７    ロータリーダンパー（ダンパー機構）
２８    長孔
２８ａ  円弧状部
２８ｂ  直線状部
２９    回動規制ピン
３０    許容孔
３１    ピン部材
３２ａ  第１ケース
３２ｂ  第２ケース
３２    付勢部材
３３    コイルバネ
ａ〜ｆ  支持ピン
Ｋ      キッチンカウンタ
【図１】
2006239463.tif 000003
【図２】
2006239463.tif 000004
【図３】
2006239463.tif 000005
【図４】
2006239463.tif 000006
【図５】
2006239463.tif 000007
【図６】
2006239463.tif 000008
【図７】
2006239463.tif 000009